(57)【要約】【課題】開扉装置で開放された扉が開扉状態を維持する冷蔵庫を提供する。【解決手段】扉１７とともに回転するドアストッパ３０に設けられている凸部３６と本体１１に固定された固定カム２９に設けられている凹部４１、４２、５１、５２、６１、６２、７１、７２とは、扉１７が所定の開放角度になるとかみ合う。例えば、扉１７の重量や開扉装置２４の性能のばらつきなどにより、開扉装置２４によって正回転方向へ押し出された扉１７は反動により逆回転する場合がある。このとき、ドアストッパ３０の凸部３６と固定カムの凹部４１、４２、５１、５２、６１、６２、７１、７２とがかみ合うことによって、扉１７の閉鎖方向への逆回転は制限される。【選択図】図１
2009228994.tif 000002
【特許請求の範囲】
【請求項１】
前方が開口した貯蔵室を形成する本体と、
前記本体の前面に設けられ、ヒンジを中心に回転し前記貯蔵室の前方を開閉可能な扉と、
駆動指示により前記扉に開放方向へ正回転する力を加える開扉装置と、
前記開扉装置による前記扉の正回転を許容し、前記扉の全開位置または全開位置と全閉位置との間において前記扉の閉鎖方向である逆回転を制限する制限部と、
を備えることを特徴とする冷蔵庫。
【請求項２】
前記制限部は、前記扉の全開位置と全閉位置との間における複数の位置で前記扉の逆回転を制限することを特徴とする請求項１記載の冷蔵庫。
【請求項３】
前記扉は、片開きまたは観音開きのいずれかであることを特徴とする請求項１記載の冷蔵庫。
【請求項４】
前記制限部は、
前記扉の下端から下方へ突出する凸部と、
前記本体に設けられ、前記凸部とかみ合うことにより前記扉の逆回転を制限する複数の凹部と、
を有することを特徴とする請求項１から３のいずれか一項記載の冷蔵庫。
【請求項５】
前記制限部は、
前記扉の下端に上下へ移動可能に支持されている第一カムと、
前記本体に設けられ、前記第一カムとかみ合うことにより前記扉の逆回転を制限する第二カムと、
前記扉と前記第一カムとの間に設けられ、前記第一カムを前記第二カムへ押しつける弾性部材と、
を有することを特徴とする請求項１から３のいずれか一項記載の冷蔵庫。
【発明の詳細な説明】
【技術分野】
【０００１】
本発明は、冷蔵庫に関する。
【背景技術】
【０００２】
従来、例えばソレノイドなどを用いた開扉装置を備える冷蔵庫が公知である。開扉装置は、駆動指示を受けると、貯蔵室を閉鎖している扉に開放方向へ力を加える。一方、扉を閉めるとき、扉が完全に閉まらずに半開きの状態になると、貯蔵室内の温度が上昇するおそれがある。そこで、扉を確実に閉める閉扉手段を備えた冷蔵庫が提案されている（特許文献１、２参照）。
【特許文献１】特開２００６−５７９０４号公報
【特許文献２】特開昭５８−１４２１８３号公報
【発明の開示】
【発明が解決しようとする課題】
【０００３】
しかしながら、例えば製造のばらつきや、ドアポケットに収納された物品の重量、または冷蔵庫の据付状態が傾斜していると、その開扉力は一様ではなくなるため強く開きすぎてしまう場合がある。このとき、開扉装置で開扉させても、勢いが強すぎて全開位置まで開いた扉が反動により全閉位置に戻るという問題がある。
【０００４】
そこで、本発明は、上記の課題に鑑みてなされたものであり、その目的は、製造ばらつき等によって開扉力が異なっても、開扉装置で開放された扉が開扉状態を維持する冷蔵庫を提供することにある。
【課題を解決するための手段】
【０００５】
本発明の冷蔵庫は、前方が開口した貯蔵室を形成する本体と、前記本体の前面に設けられ、ヒンジを中心に回転し前記貯蔵室の前方を開閉可能な扉と、駆動指示により前記扉に開放方向へ正回転する力を加える開扉装置と、前記開扉装置による前記扉の正回転を許容し、前記扉の全開位置または全開位置と全閉位置との間において前記扉の閉鎖方向である逆回転を制限する制限部と、を備えることを特徴とする。
【発明の効果】
【０００６】
本発明によれば、制限部は、開扉装置による扉の開放方向への正回転を許容する。すなわち、開扉装置が扉に加える力は、扉が制限部を乗り越えるために要する力より大きい。そのため、扉は、制限部に妨げられることなく開放方向へ正回転する。また、制限部は、扉の閉鎖方向への逆回転を制限する。そのため、扉は、全開位置または全開位置と全閉位置との間で停止し、貯蔵室の前方を開放した状態すなわち開扉状態を維持する。したがって、製造ばらつき等によって開扉力が異なっても、開扉装置で開放された扉を開扉状態に維持することができる。
【発明を実施するための最良の形態】
【０００７】
以下、本発明の複数の実施形態による冷蔵庫を図面に基づいて説明する。なお、複数の実施形態において実質的に同一の構成部位には同一の符号を付し、説明を省略する。
（第１実施形態）
本発明の第１実施形態による冷蔵庫を図２に示す。冷蔵庫１０は、本体１１に、貯蔵室としての冷蔵室１２、左右に設けられている製氷室１３および切替室１４、ならびに冷凍室１５が上方から順に形成されている。本体１１は、鋼板製の外箱と、樹脂製の内箱と、これらの間に充填された断熱材とから構成されている。内箱の内部を断熱して仕切ることにより、内箱内に冷蔵室１２、製氷室１３、切替室１４および冷凍室１５がそれぞれ形成される。なお、切替室１４は、冷凍室としてもよい。
【０００８】
第１実施形態では、冷蔵室１２は、左右二枚のいわゆる観音開き式の扉１６、１７で閉鎖されている。また、製氷室１３、切替室１４および冷凍室１５は、それぞれ引き出し式の容器が収容されており、この容器の前面部を構成する扉１８、１９、２０で閉鎖されている。このように、冷蔵庫１０は、前面側に扉１６、１７、１８、１９、２０を有している。本実施形態では、扉１６、１７には、プッシュ式の扉操作部２１が設けられている。なお、扉操作部２１は、タッチセンサ式など他の方式であってもよい。
【０００９】
扉１６は、本体１１の左側の端部に回転可能に設けられている。また、扉１７は、本体１１の右側の端部に回転可能に設けられている。扉１６および扉１７は、冷蔵室１２の前方を閉鎖あるいは開放する。扉１６および扉１７は、それぞれ冷蔵室１２側にドアポケット２２が設けられている。ドアポケット２２には、例えば飲料の容器などが収納される。以下、本明細書において、扉１６および扉１７が冷蔵室１２を閉鎖する位置を全閉位置とし、扉１６および扉１７が全閉位置から冷蔵室１２を開放する方向の回転を正回転とする。一方、扉１６および扉１７が冷蔵室１２を閉鎖する方向の回転を逆回転する。また、扉１６および扉１７が全閉位置から正回転方向へ最も回転した位置を全開位置とする。本実施形態の場合、全開位置は、扉１６および扉１７が約１４０°回転した状態である。
【００１０】
箱状の本体１１は、上端に天板部２３を有している。開扉装置２４は、天板部２３に設けられている。開扉装置２４は、天板部２３において前端部に設けられている。扉１６または扉１７に設けられた扉操作部２１へ開扉の指示があると、開扉装置２４は扉１６または扉１７に正回転方向の力を加える。開扉装置２４は、例えばソレノイドおよびブッシュロッドを有している。扉操作部２１からの指示によりソレノイドに通電されると、プッシュロッドは扉１６または扉１７を前方へ押し出す。これにより、開扉装置２４は、扉１６または扉１７に正回転する力を加える。開扉装置２４は、扉１６または扉１７の重量に関わらず、扉１６または扉１７に正回転する一定の力を加える。なお、冷蔵室１２の前面に設けられた扉１６、１７は、手動でも開閉可能である。
【００１１】
冷蔵庫１０は、制限部２５を備えている。制限部２５は、扉１６および扉１７の逆回転を制限する。以下、扉１７の逆回転を制限する制限部２５を例にして詳細に説明する。
扉１７は、図２に示すように右端側において上方および下方の二箇所で支持部２６、２７によって回転可能に支持されている。扉１７は、ヒンジ２８を中心に回転する。制限部２５は、図１に示すように下方の支持部２７に設けられている。支持部２７は、ヒンジ２８、固定カム２９およびドアストッパ３０を有している。ヒンジ２８は、冷蔵庫１０の本体１１に固定される。詳細には、ヒンジ２８は、冷蔵室１２を形成する本体１１の前端部において冷蔵室１２の下方かつ右端側に設けられている。ヒンジ２８は、ヒンジピン３１および係止ピン３２を有している。ヒンジピン３１は、ヒンジ２８から上方すなわち天板部２３側へ突出している。係止ピン３２は、ヒンジ２８から前方すなわち冷蔵室１２を塞ぐ扉１７側へ突出している。固定カム２９は、ヒンジ２８に固定されている。ヒンジ２８から突出しているヒンジピン３１は、固定カム２９を貫いている。
【００１２】
ドアストッパ３０は、扉１７の下端に固定されている。ドアストッパ３０は、筒部３３および爪部３４を有している。筒部３３は、筒状に形成され、扉１７の下端に設けられている扉穴３５に圧入されている。これにより、ドアストッパ３０は、扉１７に固定される。そのため、ドアストッパ３０は、扉１７とともに回転する。ヒンジ２８から上方へ突出し固定カム２９を貫くヒンジピン３１は、図３に示すようにドアストッパ３０の筒部３３の内側に挿入されている。ヒンジピン３１の外径は、筒部３３の内径よりも小さい。そのため、本体１１に固定されているヒンジピン３１と扉１７に固定されている筒部３３とは、相対回転可能となる。これにより、扉１７は、下方の支持部２７において回転可能に支持されている。
【００１３】
扉１７に固定されているドアストッパ３０の爪部３４は、本体１１に固定されているヒンジ２８に設けられている係止ピン３２とかみ合い可能である。扉１７が冷蔵室１２の前方を閉鎖しているとき、爪部３４と係止ピン３２とはかみ合っている。これにより、扉１７の回転は制限され、冷蔵室１２の前方を扉１７で閉鎖しているとき、例えば扉１７の自重によって扉１７が自動的に開くことはない。一方、爪部３４と係止ピン３２とは緩くかみ合っている。そのため、扉１７に正回転方向の力が加わると、爪部３４と係止ピン３２とのかみ合いは解除され、扉１７は冷蔵室１２の前方を開放する。
【００１４】
制限部２５は、支持部２７の固定カム２９およびドアストッパ３０によって構成されている。固定カム２９は、図４に示すように上端すなわちドアストッパ３０側に凹部４１、４２、５１、５２、６１、６２、７１、７２を有している。ドアストッパ３０は、図１および図５に示すように下端すなわち固定カム２９側に凹部４１、４２、５１、５２、６１、６２、７１、７２とかみ合い可能な凸部３６を有している。この固定カム２９の凹部４１、４２、５１、５２、６１、６２、７１、７２とドアストッパ３０の凸部３６とがかみ合うことにより、制限部２５は扉１７の回転を制限する。以下、制限部２５の構成について詳細に説明する。
【００１５】
固定カム２９は、図４に示すように複数の凹部４１、４２、５１、５２、６１、６２、７１、７２を有している。凹部４１、４２、５１、５２、６１、６２、７１、７２は、ヒンジピン３１が挿入されるピン穴の径方向の外側に設けられている。凹部４１、４２、５１、５２、６１、６２、７１、７２は、ピン穴の周方向へ複数設けられている。凹部４１と凹部４２、凹部５１と凹部５２、凹部６１と凹部６２、および凹部７１と凹部７２とは、それぞれピン穴の中心を通る同一の直線上に配置されている。凹部４１、４２、５１、５２、６１、６２、７１、７２は、いずれもピン穴の径方向において端部から外側へ伸びている。凹部４１と凹部４２、凹部５１と凹部５２、凹部６１と凹部６２、および凹部７１と凹部７２とは、それぞれ一対となってドアストッパ３０の凸部３６とかみ合う。ドアストッパ３０の凸部３６は、筒部３３の径方向外側に設けられているリブ３７の下端に設けられている。凸部３６は、図５に示すように筒部３３の中心を径方向へ通る直線上において筒部３３を挟んで両側に設けられている。
【００１６】
第１実施形態の場合、図４に示すように扉１７の全閉位置に対応して凹部４１および凹部４２が設けられている。また、扉１７の全開位置に対応して凹部５１および凹部５２が設けられ、扉１７の半開位置すなわち全閉位置と全開位置との間に対応して凹部６１および凹部６２、ならびに凹部７１および凹部７２がそれぞれ設けられている。
【００１７】
凹部４１および凹部４２は、扉１７の全閉位置においてドアストッパ３０の凸部３６とかみ合う。扉１７は、ヒンジ２８の係止ピン３２とドアストッパ３０の爪部３４とのかみ合い、ならびに凹部４１および凹部４２と凸部３６とのかみ合いによって、冷蔵室１２を閉鎖した状態を維持する。
【００１８】
凹部５１および凹部５２は、扉１７の全開位置においてドアストッパ３０の凸部３６とかみ合う。例えば開扉装置２４により扉１７に力が加えられると、扉１７は全開位置まで正回転する。このとき、開扉装置２４から扉１７に加わる力が過大であると、全開位置まで回転した扉１７は反動により閉鎖方向へ逆回転する。これに対し、凹部５１および凹部５２と凸部３６とがかみ合うことにより、扉１７の逆回転は制限される。このように、凹部５１および凹部５２は、冷蔵庫１０の正回転方向へ最大に開放された全開状態を維持する位置、例えば扉１７が約１４０°回転した位置に対応して設けられている。
【００１９】
凹部６１および凹部６２は、扉１７の半開位置においてドアストッパ３０の凸部３６とかみ合う。具体的には、凹部６１および凹部６２は、扉１７の開放角度が９０°となる位置において凸部３６とかみ合う。例えば、冷蔵庫１０を右端部が家屋の壁に近接するように設置する場合、扉１７と家屋の壁との接触を回避可能な開放角度は９０°である。このように凹部６１および凹部６２は、冷蔵庫１０が家屋の壁に近接して設置されているときでも、扉１７の開閉が妨げられない開放角度すなわち扉１７が９０°回転した位置に対応して設けられている。
【００２０】
凹部７１および凹部７２は、扉１７の半開位置においてドアストッパ３０の凸部３６とかみ合う。具体的には、凹部７１および凹部７２は、扉１７の開放角度が６０°に対応する位置において凸部３６とかみ合う。例えば、扉１７が６０°開いていれば、扉１７を全開にしなくても、扉１７のドアポケット２２からの飲料容器の出し入れが可能となる。このように凹部７１および凹部７２は、扉１７を大きく開くことなく冷蔵室１２に物品を出し入れ可能な開放角度すなわち扉１７が６０°回転した位置に対応して設けられている。
【００２１】
次に、上述の制限部２５の作動について説明する。なお、ここでは、冷蔵庫１０に近接して家屋の壁が設けられていない場合を例に説明する。
扉操作部２１から開扉の指示が入力されると、開扉装置２４は扉１７を前方へ押し出す。すなわち、開扉装置２４は、扉１７へ正回転方向の力を加える。これにより、扉１７は、ヒンジ２８を中心として正回転し、冷蔵室１２を開放する。このとき、開扉装置２４は、扉１７に十分な力を加える。そのため、扉１７に設けられているドアストッパ３０の爪部３４はヒンジ２８の係止ピン３２とのかみ合いを解除する。これとともに、固定カム２９の凹部４１および凹部４２にかみ合っているドアストッパ３０の凸部３６は、凹部４１および凹部４２を乗り越える。さらに、開扉装置２４は扉１７に十分な力を加えるため、ドアストッパ３０の凸部３６は凹部７１および凹部７２、ならびに凹部６１および凹部６２を順に乗り越える。その結果、扉１７は、全開位置まで正回転する。扉１７が全開位置まで正回転すると、ドアストッパ３０の凸部３６は固定カム２９の凹部５１および凹部５２にかみ合う。凸部３６と凹部５１および凹部５２とのかみ合いによって、扉１７は全開状態に維持される。また、仮に開扉装置２４から扉１７に加えられる力が大きく、全開となった扉１７が反動で閉鎖方向へ回転する場合であっても、凹部３６が凹部６１６２、あるいは凹部７１、７２とかみ合うことにより全閉は制限される。
【００２２】
扉１７は、図５に示すように自身の重量によって凸部３６が各凹部にかみ合っている。そのため、扉１７を隣り合って設けられている他の凹部側へ正回転または逆回転する場合、各凹部を乗り越えるときに扉１７には軽いクリック感が加わる。このように、扉１７は、任意の位置、すなわち全開状態、９０°半開状態、または６０°半開状態のいずれかに維持される。
【００２３】
以上説明した第１実施形態では、次のような効果を得ることができる。
ドアポケット２２に収納された物品による扉１７の重量や開扉装置２４の個々の性能のばらつき、あるいは冷蔵庫の設置環境など、開扉装置２４が加える力と扉１７の重量とのバランスによって、開扉装置２４によって正回転方向へ押し出された扉１７は反動により逆回転する場合がある。制限部２５を設けることにより、このような扉１７の重量や開扉装置２４の性能に関わらず、扉１７の逆回転が制限される。したがって、製造ばらつき等によって開扉力が異なっても、扉１７を開扉状態に維持することができる。
【００２４】
制限部２５に複数の凹部４１、４２、５１、５２、６１、６２、７１、７２を設けることにより、扉１７の重量や開扉装置２４が扉１７に加える力に関わらず、扉１７は全開位置と全閉位置との間で逆回転が制限される。したがって、扉１７を全開位置または半開位置において開扉状態に維持することができる。
【００２５】
ドアストッパ３０に設けられた凸部３６と固定カム２９に設けられた凹部４１、４２、５１、５２、６１、６２、７１、７２とのかみ合いによって、扉１７は逆回転が制限される。そのため、制限部２５の構成は簡略化される。したがって、構造の複雑化を招くことなく、扉１７の開放状態を維持することができる。
【００２６】
（第２実施形態）
本発明の第２実施形態による冷蔵庫について図６および図７に基づいて説明する。第２実施形態では、冷蔵庫は、上下に移動可能な可動カム１２９、および可動カム１２９を下方へ押しつける弾性部材１１１を備えている点において第１実施形態の冷蔵庫１０と異なっている。
【００２７】
第２実施形態の場合、支持部１２７は、図６に示すように可動カム１２９および弾性部材１１１を有している。すなわち、第２実施形態の場合、第１実施形態におけるドアストッパ３０の筒部３３が分離されている。そして、第２実施形態の場合、ドアストッパ１３０と別体に形成された筒状の可動カム１２９が扉１７に設けられた扉穴３５の内部を上下に移動可能である。
【００２８】
可動カム１２９は、筒部１３３、凸部１３６、およびリブ１３７を有している。筒部１３３は、筒状に形成され、内側にヒンジピン３１が挿入されている。また、可動カム１２９のリブ１３７は、扉１７が形成する扉穴３５に軸方向へ移動可能に設けられている。可動カム１２９のリブ１３７は、図７に示すように一部が扉１７に設けられている溝１３８に挿入されている。溝１３８は、扉穴３５を形成する扉１７の内壁から径方向外側に伸びている。また、溝１３８は、扉穴３５の軸方向すなわち上下へ伸びて設けられている。リブ１３７の一部を扉１７の溝１３８に挿入することにより、可動カム１２９は軸方向すなわち上下方向への移動が許容されつつ扉１７との相対的な回転が規制される。
【００２９】
弾性部材１１１は、例えばスプリングなどで形成されている。弾性部材１１１は、一端が扉穴３５を形成する扉１７の上端部に接し、他端が可動カム１２９に接している。弾性部材１１１は、伸長する方向の力を有している。これにより、弾性部材１１１は、可動カム１２９を固定カム２９側へ押し付ける。その結果、可動カム１２９は、固定カム２９側から加わる力に応じて扉穴３５の内側を軸方向すなわち上下に移動する。
【００３０】
第２実施形態の場合、制限部１２５は固定カム２９および可動カム１２９によって構成されている。可動カム１２９は、下端すなわち固定カム２９側に凸部１３６を有している。凸部１３６は、固定カム２９に設けられている凹部４１、４２、５１、５２、６１、６２、７１、７２とかみ合い可能である。可動カム１２９は、弾性部材１１１により固定カム２９に押しつけられている。弾性部材１１１により可動カム１２９を固定カム２９側に押し付けることにより、可動カム１２９の凸部１３６が固定カム２９の凹部４１、４２、５１、５２、６１、６２、７１、７２のいずれかに対向したとき、可動カム１２９と固定カム２９とは相対的な回転が制限される。凸部１３６は、第１実施形態と同様に図７に示すように扉１７が所定の開放角度にあるとき凹部４１、４２、５１、５２、６１、６２、７１、７２のいずれかとかみ合う。また、可動カム１２９の凸部１３６が固定カム２９の凹部４１、４２、５１、５２、６１、６２、７１、７２を乗り越えるとき、可動カム１２９は弾性部材１１１を圧縮して上方へ移動する。可動カム１２９と扉１７とは上下方向へ相対的に移動可能である。そのため、可動カム１２９の凸部１３６が固定カム２９の凹部４１、４２、５１、５２、６１、６２、７１、７２を乗り越えるとき、あるいは可動カム１２９の凸部１３６が固定カム２９の凹部４１、４２、５１、５２、６１、６２、７１、７２にかみ合うときに生じる振動は、可動カム１２９と扉１７との相対的な移動すなわち弾性部材１１１の伸縮によって吸収される。その結果、可動カム１２９の凸部１３６が固定カム２９の凹部４１、４２、５１、５２、６１、６２、７１、７２を乗り越えるとき、あるいは可動カム１２９の凸部１３６が固定カム２９の凹部４１、４２、５１、５２、６１、６２、７１、７２のいずれかにかみ合うときに生じる振動は、扉１７ならびに扉１７を支持する上方の支持部１２６および下方の支持部１２７に伝達されない。
【００３１】
第２実施形態では、固定カム２９の凹部４１、４２、５１、５２、６１、６２、７１、７２とかみ合う凸部１３６は扉１７と相対移動可能な可動カム１２９に設けられている。そのため、凹部４１、４２、５１、５２、６１、６２、７１、７２と凸部１３６とのかみ合いあるいはかみ合いの解除の際に生じる振動は可動カム１２９の移動によって吸収される。したがって、凹部４１、４２、５１、５２、６１、６２、７１、７２と凸部１３６とのかみ合いによる扉１７の振動が低減され、扉１７およびこれを支持する支持部１２６、１２７の耐久性を高めることができる。
【００３２】
（その他の実施形態）
第１実施形態では、ドアストッパ３０に凸部１３６を設けた例を説明したが、凸部１３６は扉１７に設けてもよい。また、第１実施形態では、固定カム２９に凹部４１、４２、５１、５２、６１、６２、７１、７２を設けた例を説明したが、凹部４１、４２、５１、５２、６１、６２、７１、７２はヒンジ２８に設けてもよい。また、凹部４１、４２、５１、５２、６１、６２、７１、７２を設ける扉１７の開放角度は、第１実施形態の例によらず任意に設定してもよい。
【００３３】
第１実施形態および第２実施形態では、本発明を冷蔵室１２の右側を閉鎖する扉１７に適用する例を説明した。しかし、冷蔵室１２の右側の扉１７に限らず、左側の扉１６に適用してもよい。さらに、本発明は、冷蔵室１２の前方に一枚の扉を設けた片開き式の冷蔵庫に適用してもよい。
【図面の簡単な説明】
【００３４】
【図１】本発明の第１実施形態による支持部の概略を示す分解斜視図
【図２】本発明の第１実施形態による冷蔵庫を示す斜視図
【図３】本発明の第１実施形態による支持部の概略を示す断面図
【図４】本発明の第１実施形態による固定カムに設けられた凹部を示す概略図
【図５】本発明の第１実施形態によるドアストッパに設けられた凸部を示す概略図
【図６】本発明の第２実施形態による支持部の概略を示す分解斜視図
【図７】本発明の第２実施形態による支持部の概略を示す断面図
【符号の説明】
【００３５】
図面中、１０は冷蔵庫、１１は本体、１２は冷蔵室（貯蔵室）、１６、１７は扉、２４は開扉装置、２５、１２５は制限部、２９は固定カム（第二カム）、３６、１３６は凸部、４１、４２、５１、５２、６１、６２、７１、７２は凹部、１１１は弾性部材、１２９は可動カム（第一カム）を示す。
【図１】
2009228994.tif 000003
【図２】
2009228994.tif 000004
【図３】
2009228994.tif 000005
【図４】
2009228994.tif 000006
【図５】
2009228994.tif 000007
【図６】
2009228994.tif 000008
【図７】
2009228994.tif 000009